(57)【要約】【課題】  電池電圧が異なる複数種類の電池パックが選択的に接続可能な電動工具及び電動工具及び噴霧器を提供する。【解決手段】  噴霧器１００は、電池パック６の電池電圧を変換して所望電圧の電力を出力する変換手段１０、１３と、電池電圧を検出する電池電圧検出手段１２と、変換手段から出力される電力によって駆動されるモータ１ａとを有し、変換手段には、電池電圧が異なる複数種類の電池パック６が選択的に電気的に接続可能である。【選択図】図１
2012213690.tif 000002
【特許請求の範囲】
【請求項１】
電池パックの電池電圧を変換して所望電圧の電力を出力する変換手段と、
前記電池電圧を検出する電池電圧検出手段と、
前記変換手段から出力される電力によって駆動されるモータと、
を有し、前記変換手段には、前記電池電圧が異なる複数種類の電池パックが選択的に電気的に接続可能であることを特徴とする噴霧器。
【請求項２】
前記変換手段は、前記電池電圧に拘わらず一定電圧の電力を出力することを特徴とする請求項１に記載の噴霧器。
【請求項３】
前記変換手段は、前記電池電圧を降圧して出力することを特徴とする請求項１及び２のいずれか一に記載の噴霧器。
【請求項４】
前記電池パックが着脱自在に装着される本体をさらに有し、
前記本体は、前記電池パックを覆うは蓋部を有し、
前記電池パックを覆った状態で前記電池パックの蓋部を前記本体に固定する固定機構をさらに有することを特徴とする請求項１から３のいずれか一に記載の噴霧器。
【請求項５】
電池電圧が異なる複数の電池パックを選択的に接続可能な電池ユニットと、
前記電池ユニットからの給電出力により駆動されするモータと、
を備え、
前記電池ユニットは、前記電池電圧を所定の電圧に変換する変換手段を有し、
前記変換手段は、前記電池電圧にかかわらず一定の電圧を前記モータに供給するように動作することを特徴とする電動工具。
【請求項６】
前記変換手段は、前記モータと直列に接続されたスイッチング素子を含み、
前記スイッチング素子のスイッチング動作により前記電池電圧を降圧して出力することを特徴とする請求項５に記載の電動工具。
【発明の詳細な説明】
【技術分野】
【０００１】
本発明は、電池パックからの給電によって動作する電動工具に関し、特に噴霧器に関する。
【背景技術】
【０００２】
噴霧器のうち、電池パックからの給電により動作するタイプのものがある。
【先行技術文献】
【特許文献】
【０００３】
【特許文献１】特開２００１−００１１７９号公報
【発明の概要】
【発明が解決しようとする課題】
【０００４】
しかしながら、上記噴霧器に給電可能な電池パックとして、一定の電圧を出力する特定タイプの電池パックしか使用することができなかった。
【０００５】
本発明は、斯かる実情に鑑み、汎用性の高い電動工具及び噴霧器を提供しようとするものである。
【課題を解決するための手段】
【０００６】
本発明の噴霧器は、電池パックの電池電圧を変換して所望電圧の電力を出力する変換手段と、前記電池電圧を検出する電池電圧検出手段と、前記変換手段から出力される電力によって駆動されるモータと、を有し、前記変換手段には、前記電池電圧が異なる複数種類の電池パックが選択的に電気的に接続可能であることを特徴とする。
【０００７】
好ましくは、前記変換手段は、前記電池電圧に拘わらず一定電圧の電力を出力することを特徴とする。
【０００８】
好ましくは、前記変換手段は、前記電池電圧を降圧して出力することを特徴とする。
【０００９】
好ましくは、前記電池パックが着脱自在に装着される本体をさらに有し、前記本体は、前記電池パックを覆う蓋部を有し、前記電池パックを覆った状態で前記蓋部を前記本体に固定する固定機構をさらに有することを特徴とする。
【００１０】
上記構成によれば、電池パックが接続され、ユーザの操作によって動作可能な状態になると、電池電圧検出手段が電池パックの電池電圧を検出し、変換手段は、電池パックからの出力電圧を変換して一定電圧の電力を出力する。変換手段から出力された一定電圧の電力によって、モータは駆動されて、噴霧器は使用可能となる。また、変換手段は、電池パックの電池電圧の大小に拘わらず一定電圧の電力をモータに向けて出力する。
【００１１】
本発明の電動工具は、電池電圧が異なる複数の電池パックを選択的に接続可能な電池ユニットと、前記電池ユニットからの給電により駆動されるモータと、を備え、前記電池ユニットは、前記電池電圧を所定の電圧に変換する変換手段を有し、前記変換手段は、前記電池電圧にかかわらず一定の電圧を前記モータに供給するように動作することを特徴とする。
【００１２】
好ましくは、前記変換手段は、前記モータと直列に接続されたスイッチング素子を含み、前記スイッチング素子のスイッチング動作により前記電池電圧を降圧して出力することを特徴とする。
【００１３】
上記構成によれば、電池パックが接続され、ユーザの操作によって動作可能な状態になると、変換手段は、電池パックからの出力電圧を変換して一定の電圧をモータに供給するように動作する。変換手段から出力された一定電圧によって、モータは駆動されて、電動工具は使用可能となる。また、変換手段が、スイッチング動作により電池電圧を降圧して一定電圧を出力することにより、モータは駆動される。
【発明の効果】
【００１４】
本発明によれば、電池電圧が異なる複数種類の電池パックを選択的に接続して、噴霧器を動作させることができる。また、電池電圧が異なっても、常に一定電圧の電力をモータに供給することができ、接続される電池パックの電池電圧に拘わらず、電動工具及び噴霧器を安定して動作させることができる。
【図面の簡単な説明】
【００１５】
【図１】本発明による一実施の形態である噴霧器の回路構成図。
【図２】本発明による一実施の形態である噴霧器の正面図。
【図３】図２に示す噴霧器の側面図。
【図４】図１に示す噴霧器に使用される電池ユニットを示す図。
【発明を実施するための形態】
【００１６】
以下、本発明の実施の形態を添付図面を参照して説明する。
【００１７】
まず、図２及び図３を参照して、本発明による噴霧器１００の構成を説明する。噴霧器１００は、本体としての電動工具本体１と、水や農薬等の液体を収容し収容口用のキャップ１０２が着脱可能に取り付けられるタンク１０１と、タンク１０１に収容された液体を霧状にして出力する噴霧管１０４を備える。噴霧器１００は、作業者が背負って作業するため、タンク１０１には背負い用のベルト１０５が取り付けられている。更に、電動工具本体１には、駆動源となる電池パック６を備えた電池ユニット４が着脱可能に取り付けられている。
【００１８】
作業者が電動工具本体１を背負い、噴霧管１０４に取り付けられたトリガスイッチ２を操作すると、噴霧管１０４の先端から液体が噴射される。液体の噴射量は、電池ユニット４に設けられた調整スイッチ１０６により調整可能となっている。調整スイッチ１０６は、高圧用スイッチと低圧用スイッチが設けられており、何れかを選択的にオンすることで噴射量を変更することができる。
【００１９】
次に、図４を参照して電池ユニット４の構成を説明する。電池ユニット４は、電動工具本体１１に着脱可能に取り付けられる。電池ユニット４には、複数種類の電池パック６が選択的に且つ着脱可能に取り付け可能である。電池ユニット４では、接続される電池パック６の種類、例えば定格電圧（１４．４Ｖや１８．０Ｖ）に応じて電圧切替用レバー４ａが切り替えられる。なお、図４では電池パック６が電池ユニット４に取り付けた状態を示しているが、電池ユニット４に取り付けられる蓋部としてのカバーによって電池パック６を覆う構成にしてもよい。この場合、電圧切替用レバー４ａは、固定機構としてカバー側に取り付けられる構成となり、切替用レバー４ａによりカバーの開閉を規制する構成とすることができる。例えば、レバー４ａが電池パック６の定格電圧（１４．４Ｖ又は１８．０Ｖ）の位置にセットされているときは、カバーは開状態となることが規制される（閉状態を維持）。一方、レバー６ａが定格電圧の位置以外にセットされているときは、カバーを開けることができる。なお、レバー４ａは、図中、時計回り又は反時計回りのいずれか一方に回転させることで、定格電圧の位置等にセットされる。
【００２０】
次に、図１を参照して、電動工具（噴霧器）１００及び電池ユニット４の回路構成を説明する。図１に示すように、電動工具１００は、電動工具本体１と、電動工具本体１に装着可能な電池ユニット４とを含む。電動工具本体１は、対をなす入力端子３ａ、３ｂの間に電気的に接続されたモータ１ａと、モータ１ａへの給電をオンオフするトリガスイッチ２とを有する。トリガスイッチ２は、一端がモータ１ａに接続され、他端が信号端子Ｔ２に接続されている。
【００２１】
電池ユニット４は、対をなす出力端子５ａ、５ｂと、電池パック６と、制御回路７と、を含む。電池パック６は、電池ユニット４に着脱可能に装着され、複数の２次電池セル６ａが直列に接続された電池セル部６ａと、電池セル部６ａに直列に接続された電池種類判別抵抗６ｂとを有する。電池種類判別抵抗６ｂは信号端子Ｔを介して後述するマイコン１３に接続される。電池セル部６ａでは、直列に接続される２次電池セルの個数や、並列に接続される２次電池セルの個数などの構成は、２次電池セルの種類や電動工具本体１の用途に応じて適宜に選択することができる。電池種類判別抵抗６ｂは、電池電圧検出手段または電池種類判別手段として、例えばリチウムイオン電池セル（３．６Ｖ／セル）やニッケルカドミウム電池セル（１．２Ｖ／セル）などの２次電池セルの種類や、電池セル部６ａの構成に応じた抵抗値を有する。本実施の形態では、電池電圧が定格１４．４Ｖの電池パック６と、電池電圧が定格１８．０Ｖの電池パックとを選択的に使用することができる。すなわち、電池ユニット４は定格電圧や電池種類が異なる複数の電池パック６を着脱可能に装着することができる。
【００２２】
制御回路７は、ＦＥＴ１０と、電流検出抵抗９と、過電流検出回路１４と、電圧検出回路１２と、マイコン１３と、スイッチ回路１５とを含む。
【００２３】
ＦＥＴ１０は、変換手段として、電池セル部６ａを含んでモータ１ａに給電するために形成される電流路Ｌを開閉するスイッチング素子である。ＦＥＴ１０では、マイコン１３によるＰＷＭによってスイッチング動作が行われる。
電流は、電池パック６のプラス端子から、出力端子５ａ、入力端子３ａ、モータ１ａ、入力端子３ｂ、出力端子５ｂ、ＦＥＴ１０、電流検出抵抗９、及び電池パック６のマイナス端子の順に流れて電流路Ｌを形成する。
【００２４】
電流検出抵抗９は、一端９ａが電池パック６の負極側に接続されると共に、他端９ｂがＦＥＴ１０に接続されて、電流路Ｌに挿入されている。電流検出抵抗９は、電池セル部６ａから流れる出力電流（負荷電流）を検出し、検出結果を過電流検出回路１４に向けて出力する。なお、電流検出抵抗９は、出力電流が流れることで生じる電圧降下を電流値として出力する。
【００２５】
過電流検出回路１４は、電池セル部６ａからの出力電流に基づいて、過負荷によるモータ１ａの不動、すなわちロックを検出すると共に、電流路Ｌのショート、すなわち短絡を検出する。過電流検出回路１４は、４つのオペアンプ１４ａ、１４ｂ、１４ｃ、１４ｄと、ラッチ回路１６とからなる。オペアンプ１４ａは、反転入力端子が抵抗１４ｉを介して電流検出抵抗９の一端９ａに接続され、非反転入力端子が抵抗１４ｋを介して電流検出抵抗９の他端９ｂに接続されている。オペアンプ１４ａの出力端子は、抵抗１４ｌを介して反転入力端子に接続されると共に、オペアンプ１４ｃの非反転入力端子に接続されている。
【００２６】
オペアンプ１４ｃは、反転入力端子には、第１の基準電位が入力される。第１の基準電位は、基準電位Ｖｓを抵抗１４ｒ、１４ｓによって分圧することによって生成され、ショートの発生を判別する、いわゆるショート電流値（ショート電流閾値）に対応する。オペアンプ１４ｃの出力端子は、ダイオード１４ｆを介してラッチ回路１６に接続されている。また、マイコン１３からの信号により、抵抗１４ｔを抵抗１４ｓに並列に接続することによって、第１の基準電位を下げてショート電流値（ショート電流閾値）を変更、具体的には小さくすることができる。ラッチ回路１６は、出力信号として通常の動作ではＨＩＧＨを出力する。しかし、ラッチ回路１６は、オペアンプ１４ｃの非反転入力端子への入力電位が第１の基準電位を上回るとき、すなわち電流路Ｌのショートの発生を検出したときは、オペアンプ１４ｃからの出力に応答して、出力信号としてＬＯＷを出力する。このように、オペアンプ１４ａ、１４ｃは、短絡検出手段として機能する。
【００２７】
一方、オペアンプ１４ｂは、反転入力端子が抵抗１４ｈを介して電流検出抵抗９の一端９ａに接続され、非反転入力端子が抵抗１４ｊを介して電流検出抵抗９の他端９ｂに接続されている。オペアンプ１４ｂの出力端子は、抵抗１４ｍを介して反転入力端子に接続されると共に、遅延回路１４ｕを経由してオペアンプ１４ｄの非反転入力端子に接続されている。
【００２８】
オペアンプ１４ｄは、反転入力端子には、第２の基準電位が入力される。遅延回路１４ｕは、抵抗１４ｎとコンデンサ１４ｅとから構成され、オペアンプ１４ｂの出力信号がオペアンプ１４ｄへ入力されることを少なくとも所定時間遅延させる機能を有する。この所定時間は、モータ１ａのロックが発生してから検出するまでの不感時間に相当する。第２の基準電位は、基準電位Ｖｓを抵抗１４ｏ、１４ｐによって分圧することによって生成され、モータ１ａのロックの発生を判別する、いわゆるロック電流値（ロック電流閾値）に相当する。オペアンプ１４ｄの出力端子は、ダイオード１４ｇを介してラッチ回路１６に接続されている。また、マイコン１３からの信号により、抵抗１４ｑを抵抗１４ｐと並列に接続することによって、第２の基準電位を下げてロック電流値（ロック電流閾値）を変更、例えば小さくすることが可能となる。ラッチ回路１６は、通常の動作ではＨＩＧＨを出力する。しかしながら、オペアンプ１４ｄの非反転入力端子への入力電位が第２の基準電位を上回ったときのオペアンプ１４ｄからの出力に応答して、ラッチ回路１６はＬＯＷを出力する。すなわち、オペアンプ１４ｂ、１４ｄは、モータロック検出手段として機能する。
【００２９】
また、過電流検出回路１４において、ロック電流値（ロック電流閾値）は、ショート電流値（ショート電流閾値）よりも小さく設定されている。仮に、ロック電流閾値とショート電流閾値とが同じであり、過電流検出回路１４が遅延回路１４ｕ）を備えないとした場合、モータ１ａの起動時等に過渡的に生じる過大の起動電流を、短絡検出手段が短絡（ショート）の発生として検出してしまい、その結果、モータ１ａを含む電流路Ｌを遮断することが起こりえる。そこで、ロック電流とショート電流とを区別するために、短絡（ショート）電流閾値とロック電流閾値との２つを別々に設けている。そして、短絡検出手段が起動電流等を短絡電流として検出することを防止するために、短絡（ショート）電流閾値をロック電流閾値よりも大きく設定している。
【００３０】
また、本実施の形態では、短絡検出手段側には遅延回路１４ｕを設けず、ロック検出手段側にのみ遅延回路１４ｕを設けている。短絡検出手段側に遅延回路を設けていないのは、短絡電流は、ロック電流や起動電流よりも電流量が多いために、電流路Ｌ等の保護のため、速やかに電流路Ｌを開放して電流を遮断したいためである。
【００３１】
電圧検出回路１２は、電池セル部６ａの電池電圧を検出し、検出した電池電圧をマイコン１３に出力する。
【００３２】
マイコン１３は、電池セル部６ａから定電圧回路１１を経由した給電（基準電位Ｖｓ、例えば５Ｖ）によって動作可能となる。マイコン１３は、電池種類判別抵抗６ｂにより、電池セルの種類及び電池パック６の構成を判別し、電池セルの種類及び電池パック６の構成に応じて、抵抗１４ｔ、１４ｑの過電流検出回路１４への電気的な接続の有無を設定する。電池パック６の電池電圧が１８．０Ｖであれば、マイコン１３は、抵抗１４ｔ、１４ｑを過電流検出回路１４に電気的に接続しない。
【００３３】
一方、電池パック６の電池電圧が１４．４Ｖであれば、抵抗１４ｔ、１４ｑを過電流検出回路１４に電気的に接続して、ショート電流値（閾値）及びロック電流値（閾値）を共に下げる。また、マイコン１３は、ＦＥＴ１０のスイッチング動作を制御して、電池パック６からの出力電流を制御する。なお、電池パック６の種類（定格電圧やセル種別）に応じて抵抗１４ｔ、１４ｑのどちらか一方のみを対応する抵抗１４ｓ、１４ｐのどちからに並列接続するようにしてもよい。更に、抵抗１４ｓ、１４ｐと並列接続可能な抵抗を複数設ければ、電池ユニット４は、多くの種類の電池パック６に対応することができる。
【００３４】
スイッチ回路１５は、ＦＥＴ１５ａ、１５ｂを有し、マイコン１３への給電を制御する。ＦＥＴ１５ａは、ソースが電池セル部６ａの正極側に接続され、ドレインが定電圧回路１１に接続され、ゲートが抵抗１５ｄを介してＦＥＴ１５ｂのソースに接続されている。また、ＦＥＴ１５ａのソースとゲートとは、抵抗１５ｃを介して接続されている。ＦＥＴ１５ｂは、ドレインが基準電位Ｇに接続され、ゲートとドレインとの間には、抵抗１５ｆとコンデンサ１５ｇとが並列に接続されている。さらに、ＦＥＴ１５ｂのゲートは、抵抗１５ｅを介して信号端子Ｔ２に接続されるとともに、ラッチ回路１６の出力端子に接続されている。
【００３５】
次に、電池ユニット４による電動工具本体１への給電について説明する。
【００３６】
電動工具本体１に、電池電圧が１８Ｖの電池パック６を接続した電池ユニット４を接続すると、電動工具本体１の入力端子３ａ，３ｂと、電池ユニット４の出力端子５ａ，５ｂとがそれぞれ接続される。更に信号端子Ｔ２同士も接続される。電動工具１００を使用するために、トリガスイッチ２をオンにする。トリガスイッチ２のオンにより、電池パック６の電池電圧が、電動工具本体１のトリガスイッチ２と抵抗１５ｅとを経由してＦＥＴ１５ｂのゲートに印加され、ＦＥＴ１５ｂがオンになり、さらにＦＥＴ１５ａがオンになって、すなわちスイッチ回路１５がオンになって、電池パック６の電池電圧がＦＥＴ１５ａを介して定電圧回路１１に供給される。定電圧回路１１は、マイコン１３の動作電圧（例えば５Ｖ）を出力して、マイコン１３への給電を開始するので、マイコン１３が起動される。
【００３７】
マイコン１３は、起動すると、信号端子Ｔを介して電池種類判別抵抗６ｂの抵抗値を読み取って、電池セル部６ａの電池電圧及び電池セルの種類を判別する。判別した電池電圧及び電池セルの種類に応じて、マイコン１３は、ＦＥＴ１０にスイッチング動作を行わせて、モータ１ａへの給電を開始すると共に、過電流検出回路１４がモータ１ａのロック及びショートを検出するモータロック電流値及びショート電流値をそれぞれ設定する。本実施の形態においては、例えば、電池電圧が１８．０Ｖの場合は、マイコン１３からの信号によって抵抗１４ｔ、１４ｑを過電流検出回路１４から電気的に切り離してモータロック電流値及びショート電流値をそれぞれ高めに設定する。また、電池電圧が１８．０Ｖよりも低い１４．４Ｖの場合は、マイコン１３からの信号によって抵抗１４ｔ、１４ｑを過電流検出回路１４に電気的に接続、すなわち対応する抵抗１４ｓ、１４ｐにそれぞれ並列接続して、モータロック電流値及びショート電流値を、それぞれ１８Ｖの場合よりも低く設定する。また、本実施の形態において、モータ１ａの定格電圧は１２Ｖである。従って、マイコン１３は、電池種類判別抵抗６ｂからの電池種情報（電池電圧、電池セル種）に基づいてＦＥＴ１０をスイッチング制御して電池電圧を１２Ｖに降圧して出力する。
【００３８】
また、モータ１ａへ給電開始時には、起動電流としてロック電流とほぼ同じまたはそれを上回る電流量の出力電流が瞬間的に電流路Ｌを流れることがある。しかしながら、ロック電流の検出によりＦＥＴ１０をオフとするためは、遅延回路１４ｕにより、ロックの状態が、ロックの発生から少なくとも第１の所定時間継続することが必要となっているため、起動電流がロック電流として検出されることによって、モータ１ａへの電力供給が遮断されることを防いでいる。また、モータ１ａの起動時のみではなく、モータ１ａが駆動中に瞬間的に電流がロック電流閾値以上に上昇した場合にも、即座に電流路Ｌを遮断するのではなく、少なくとも所定期間の間ロックの発生の検出を遅延させる不感期間を設けている。それにより、構成部品等を破損する恐れの少ない過渡的な電流上昇を看過することができ、作業効率を向上することができる。
【００３９】
一方、トリガスイッチ２のオンにより、ＦＥＴ１０のスイッチング動作に応じた出力電流が、モータ１ａを含む電流路Ｌに流れる。出力電流は、電流検出抵抗９によって連続的に検出される。過電流検出回路１４は、電流検出抵抗９によって、電流路Ｌに流れる電流を検出する。また、マイコン１３は、過電流検出回路１４からの出力によりモータ１ａのロック及び電流路Ｌのショートの発生を連続してモニタする。
【００４０】
例えば、入力端子３ａ，３ｂまたは出力端子５ａ，５ｂが、なんらかの理由によりショートして、予め設定されたショート電流値（閾値）を越える過電流が電流路Ｌを流れた場合、この過電流は、過電流検出回路１４によってショート電流として検出される。ショート電流が検出されると、直ちに、ラッチ回路１６の出力は、ＨＩＧＨからＬＯＷに切り替わって、スイッチ回路１５のＦＥＴ１５ｂはオフになり、次にＦＥＴ１５ａがオフになる。従って、マイコン１３への給電が強制的に遮断されるので、ＦＥＴ１０は、強制的にオフとなって電流路Ｌは遮断され、出力電流は、ゼロ、すなわち電流が流れない状態になる。
【００４１】
一方、モータ１ａのロックが発生した場合、遅延回路１４ｕのために、ラッチ回路１６の出力をＨＩＧＨからＬＯＷに切り替えるためには、少なくとも第１の所定期間を要する。従って、モータ１ａのロック状態が少なくとも第１の所定期間継続した場合は、ラッチ回路１６の出力がＨＩＧＨからＬＯＷに切り替わり、ショートの場合と同様に、マイコン１３への給電が強制的に遮断されて、ＦＥＴ１０がオフとなって電流路Ｌは遮断され、出力電流はゼロになる。これに対し、モータ１ａのロックが発生したが、第１の所定時間の経過前に、モータの１ａのロックが解消すると、出力電流は、ロック電流値より減少する（ロック電流閾値より小さくなる）ので、ラッチ回路１６の出力は、ＬＯＷに切り替わらずにＨＩＧＨを維持する。従って、ＦＥＴ１０は、スイッチング動作を継続し、モータ１ａへの給電を継続することができる。
【００４２】
また、ショートやモータのロックのいずれも、オペアンプを用いてアナログ的に検出し、ラッチ回路１６及びスイッチ回路１５により強制的にマイコン１３への給電を遮断することによって電流路Ｌを開放しているので、電流路Ｌの開放を速やかに行うことができる。すなわち、マイコン１３の処理速度に依存せず電流路Ｌを遮断することができる。
【００４３】
更に、電動工具１００が過剰負荷状態になってモータ１ａのロックが少なくとも所定時間に亘り継続した場合、または、電流路Ｌのショートが発生した場合に、確実にモータ１ａを停止することができ、過負荷による電池パック６やモータ１ａ等の破損を抑制することができる。このように、過電流検出回路において、モータロックとショートとの発生をそれぞれ独立に検出しているため、確実に過負荷状態を検出することができる。
【００４４】
また、上記電動工具１００は、電池パック６の電池電圧に応じてロック電流及びショート電流のいずれも検出値（閾値）を変更することができるので、モータを含む電動工具や電池パックに含まれる電気部品を、ロックや短絡から効率良く保護することができる。さらに、電池ユニット４は、昇圧回路を設けていないので、噴霧器１００を簡単に構成できる。
【００４５】
さらに、上記実施の形態では、電池電圧の異なる複数種類の電池パックを選択的に噴霧器１００に接続して、噴霧器１００を使用することができる。また、接続された電池パックの電池電圧が異なる場合であっても、噴霧器１００のモータ１ａには、変換手段によって電池電圧が一定電圧に変換されて一定電圧の電力が供給されるので、噴霧器１００の使用を安定したものにできる。
【００４６】
なお、上記実施の形態では、過電流検出回路１４を電池ユニット４の内部に設けたが、電動工具本体１の内部や電池パック６の内部に設けることもできる。また、抵抗１４ｐ、１４ｓと並列に接続される抵抗を増やし、ロック電流及びショート電流の閾値を複数段階に変更できるようにしてもよい。
【符号の説明】
【００４７】
１    本体
１ａ    モータ
４    電池ユニット
６    電池パック
６ｂ    電池種類判別抵抗
１３    マイコン
【図１】
2012213690.tif 000003
【図２】
2012213690.tif 000004
【図３】
2012213690.tif 000005
【図４】
2012213690.tif 000006